(57)【要約】【課題】従来、花粉の大気中拡散後の対策（屋内での空気清浄機による除塵、花粉症の症状を緩和する治療薬、防塵グッズ（マスク、メガネ））はとられてきたが、発生源からの飛散、拡散を抑制する技術はない。花粉が大気中に飛散、拡散してからでは、取れる対策が除塵、防塵に限定される。大気中拡散前に花粉発生源を断つ、根本的な解決が課題である。【解決手段】本花粉回収装置（設置式）１は、大型送風機２、送風ダクト５、集粉タワー６、発電機７、および花粉検知センサー８で構成する。前記集粉タワーの中には電気集塵機３、花粉貯槽容器４を備える。【選択図】  図１
2019193911.tif 000002
【特許請求の範囲】
【請求項１】
集粉タワー（６）の側面に取付けた大型送風機（２）の吸引力によって、花粉（１１）を含んだ大気を集粉タワー（６）の開口部から強制的に吸い込み、集粉タワー（６）内に設置した電気集塵機（３）によって、花粉（１１）と空気を分離する花粉回収装置。
【請求項２】
集粉タワー（６）内に設置した電気集塵機（３）によって分離した花粉（１１）を、集粉タワー（６）の下部に設置した花粉貯槽容器（４）に溜める請求項１の花粉回収装置。
【請求項３】
集粉タワー（６）内で花粉（１１）と分離された空気を排出する送風ダクト（５）を更に有し、送風ダクト（５）の先端にノズルを取り付け、空気を噴流にし、杉の枝の花粉房に噴流を直接当て、花粉（１１）を強制的に上空に舞い上らせる請求項１または２の花粉回収装置。
【発明の詳細な説明】
【技術分野】
【０００１】
本発明は、花粉発生源のスギ密集地帯の山間部に設置され、花粉の大気中飛散を抑制する  ことが出来る花粉回収装置に関する。
【背景技術】
【０００２】
従来、花粉の大気中拡散後の対策（屋内での空気清浄機による除塵、花粉症の症状を緩和する治療薬、防塵グッズ（マスク、メガネ））はとられてきたが、発生源からの飛散、拡散を抑制する技術はない。
【先行技術文献】
【特許文献】
【０００３】
【特許文献１】特開２００８−２０１３１号公報
【発明の概要】
【発明が解決しようとする課題】
【０００４】
花粉が大気中に飛散、拡散してからでは、取れる対策が除塵、防塵に限定される。
大気中拡散前に花粉発生源を断つ、根本的な解決が課題である。
【課題を解決するための手段】
【０００５】
上記の課題を解決する本発明は、大型送風機、送風ダクト、集粉タワー、発電機、および花粉検知センサーで構成する花粉回収装置である。
【発明の効果】
【０００６】
本発明により、スギの密集地帯での花粉飛散をブロックし、生活圏への拡散を抑え、
花粉症発症者を減少させ、罹患者の症状を防塵対策をしなしで緩和することができる。
【図面の簡単な説明】
【０００７】
【図１】本発明の花粉回収装置（設置式）
【図２】本発明の花粉回収装置（移動式）
【発明を実施するための形態】
【０００８】
図１は、本発明の構成及びシステムを示したものである。
花粉回収装置（設置式）１は、杉の植林密集地帯の山間部山頂に設置した例を示している。大型送風機２で飛散し始めのスギ花粉１１を強制的に上空に吹き上げ、花粉回収装置（設置式）１に吸い込ませ、集塵するものである。
【０００９】
花粉回収装置（設置式）１は、大型送風機２、電気集塵機３、花粉貯槽容器４、送風ダクト５、集粉タワー６、発電機７、花粉検知センサー８で構成する。花粉回収装置（設置式）１の全体システムは、集粉タワー６の側面に取付けた大型送風機２の吸引力によって、花粉１１を含んだ大気を集粉タワー６の開口部から強制的に吸い込み、集粉タワー６内に設置した電気集塵機３によって、花粉１１と空気を分離する。空気のみを大型送風機２で吸い込み、大型送風機２の吐出し側に取付けた送風ダクト５で空気を噴流にして、杉の枝の花粉房に直接噴流を当て、花粉１１を上空に舞い上がらせる、分離された花粉１１は、集粉タワー６内下部に設置した花粉貯槽容器４に溜められる。
【００１０】
.本花粉回収装置（設置式）１を構成する機器、部品の材料、構造、機能・作用を以下に示す。大型送風機２は本花粉回収装置（設置式）１の周囲半径２０ｍの範囲から舞い上がった花粉１１を含む大気を吸い込み、電気集塵機３によって花粉１１を分離した空気を吐き出す機器であり、構成部品は、ブロワー本体、モーター、制御装置である。
【００１１】
ブロワーは、送風機メーカの標準型式品を使用する。設置する山間部の地形、杉林の密集面積の広さに依って吸い込み範囲（半径）の設計仕様を変え、性能を満たす容量の型式を選定できる。
【００１２】
流体は空気で腐食性もないため、ブロワーのインペラ及びボディはプラスチック製で軽量化、コストダウンが図れる。耐久性仕様に応じて材質を強化プラスチック、スティール製に変えることができる。
【００１３】
モーターは、電機メーカの標準型式品を使用する。回転数定格、可変の両方対応可能とし、気象条件（風の有無、強弱）、花粉１１の量に依ってモーター回転スピードを変え、効率アップ、省力化ができる。
【００１４】
制御装置は、花粉検知センサー８の信号による電源ＯＮ／ＯＦＦ、モーター回転スピードを自動にコントロールする機能を有する設計で、無人化できる。また、制御装置を本花粉回収装置（設置式）１の単独運転、複数台の連動運転にシステム化することも可能である。
【００１５】
電気集塵機３は大型送風機２で吸い込んだ花粉１１を空気と分離するための機器であり、構成部品は、電気集塵装置、花粉貯槽容器４である。電気集塵装置は集塵機メーカの標準型式品を使用する。設置する山間部の杉林の密集面積すなわち花粉１１の発生量に応じた大きさ、性能を決めることができる。電気集塵装置の電極ＯＦＦで落下した花粉１１は花粉貯槽容器４に溜める。容器はプラスチック製で、ビニール袋を敷き、溜まった花粉１１がブロワーの空気流で飛散しないように水張をしておく。
【００１６】
送風ダクト５は大型送風機２の出口側に設置し、分配容器を介して１０本のダクトに分岐して、本花粉回収装置（設置式）１の周囲半径２０ｍの範囲の地面に配置し、圧送空気を地面から上空に噴出させ、杉の枝の花粉房に噴流を直接当て、花粉１１を強制的に上昇させる部品である。送風ダクト５は市販のジャバラホースを使用し、本数、配置範囲は、地形や杉林の密集状況に応じて設計する。ジャバラにすることで、地形の起伏に応じて送風ダクト５を容易に引き廻し、配置できる。また、空気を噴流にするために、ジャバラホースの先端にノズルを取り付ける。ノズルの穴径は杉の高さ、密集度に応じて設計する。更に噴流速度を上げ、風による飛散を抑制する機能も有する。
【００１７】
集粉タワー６は花粉１１を含む大気を吸い込むための部品である。先端につばを設け、大気をスムーズに吸い込むガイドの役割、吸い込み速度を上げる機能を有する。材質は鋼板またはプラスチック製とする。集粉タワー６には、花粉回収袋を取り出す開閉扉を設置する。
発電機７は大型送風機２のモーター及び電気集塵機３に電気を供給する機器で、メーカの標準型式品を使用する。大型送風機２及び電気集塵機３の性能を満たす仕様とする。燃料は安価なディーゼル油等とする。
【００１８】
花粉検知センサー８は、集粉タワー６の下部に取り付け、花粉１１の飛び始めの濃度を自動検知する部品で、信号を制御装置に送り大型送風機２の起動／停止を行う。
【００１９】
花粉回収装置（設置式）１の稼働はスギ花粉１１が飛び始める１月下旬から４月下旬までの約３ヶ月間である。装置全体を取り外し可能な架台着脱構造にし、花粉１１が飛び始める地域内を移動したり、花粉前線の北上に合わせた移動で、スギ花粉１１の回収を実施することにより全国的な飛散全体量を低減することができる。
【００２０】
集粉タワー６に取り付けた花粉検知センサー８により、花粉１１の濃度を自動検知して、起動／停止を自動化することで無人で効率の良い運転ができ、維持費も低減できる。
【００２１】
大型送風機２、電気集塵機３、送風ダクト５、発電機７は市場で容易に購入できる市販の型式機器、部品とし、それらを組み立て、組み合わせた製品とすることで、コストを下げることができる。
【００２２】
集塵した花粉１１は袋詰めにして、トラックで回収する。発電するためのディーゼル油燃料はトラックで運ぶ。往路で燃料を、復路で回収した花粉１１を運び、運用コストを低減できる。
【００２３】
杉に限らず、他の花粉症発生源である檜の密集地帯でも架台を設置しておけば本花粉回装置（設置式）１を取り付け、花粉１１を回収して飛散量を抑制することができる。
【００２４】
次に、本花粉回収装置（設置式）１の更なる用途として、図２に花粉回収装置（移動式）１００を示す。花粉回収装置（移動式）１００は、トレーラに搭載した例を示している。本花粉回収装置（設置式）１と異なる特徴として、花粉１１の飛散時期、花粉前線の北上に合わせて、本花粉回収装置（移動式）１００を国内各地域の杉、檜密集地帯に移動させ、全国規模で花粉１１の飛散量を低減できること。
【００２５】
また、図１の花粉回収装置（設置式）１を着脱方式とした場合、装置の分解、輸送、再組立てにコストがかかるが、花粉回収装置（移動式）１００では、組立てた状態でそのまま移動して運用でき、コスト低減が図れる。
【００２６】
花粉回収装置（移動式）１００は、本装置の後方にポンプ９、タンク１０を配置し、回収した花粉１１を外部に排出できる構成とする。
【００２７】
本花粉回収装置（移動式）１００の追加機器、部品の材料、構造、機能・作用を以下に示す。ポンプ９は集粉タワー６内の花粉貯槽容器４に溜まった花粉を連続して排出するための機器である。構成部品は、ポンプ本体、モーター、センサー、制御装置から成る。ポンプ９は、ポンプメーカの標準型式品を使用する。花粉貯槽内の花粉堆積レベルをセンサーで感知し、制御装置にてポンプの起動／停止を自動制御する。
【００２８】
大型送風機２と同様にインペラ、ボディーは、耐久性に応じてプラスチック、強化プラスチック、スティールに仕様を決めることができる。モーターは、電機メーカの標準型式品を使用する。回転数定格、可変の両方対応可能とし、花粉１１の堆積スピードに依ってモーター回転スピードを変え効率アップ、省力化ができる。制御装置は、センサーの信号に依るモーター電源ＯＮ／ＯＦＦ、モーター回転スピードをコントロールする機能を有する設計で、自動化できる。
【００２９】
タンク１０は、花粉貯槽容器４に溜まった花粉１１をポンプ９及び送風ダクト５によって排出し、廃棄場まで溜めておくための部品である。タンク１０は、電気集塵機３の花粉貯槽容器４の材質と同じプラスチック製とする。後部にドレンを設置し、花粉１１を水浸することにより流動性をもたせ、排出し易くする。
【００３０】
花粉回収装置（移動式）１００を市街地に配置することで、大気拡散後の花粉濃度が高いエリア、中国 の社会問題となっているＰＭ２．５の集塵にも応用できる。
【産業上の利用可能性】
【００３１】
本発明は電気機器製造の新たな市場を提供する。
【符号の説明】
【００３２】
１花粉回収装置（設置式）
２大型送風機
３電気集塵機
４花粉貯槽容器
５送風ダクト
６集粉タワー
７発電機
８花粉検知センサー
９ポンプ
１０タンク
１１花粉
１００花粉回収装置（移動式）
【図１】
2019193911.tif 000003
【図２】
2019193911.tif 000004